(57)【要約】【課題】開発負担及びコストの低減を図ることの可能なドアホンシステムを提供する。【解決手段】ドアホンシステムは、ハンドセットユニットと、ドアホンと、スイッチとを備えている。ハンドセットユニットは、レシーバとマイクロフォンを有している。また、ドアホンは、スピーカとマイクロフォンを有している。ドアホンは、例えば、玄関先などに設置される。スイッチは、ハンドセットユニットの入出力を、電話回線の入出力又はドアホンの入出力のどちらか一方に接続するスイッチであり、ユーザによって手動で切替可能なスイッチである。このようにすることで、操作性を大きく損なうことなく、保留回路を有するドアホンシステムよりも回路を簡略化することができ、開発負担及びコストの低減を図ることができる。【選択図】図１
2007110406.tif 000002
【特許請求の範囲】
【請求項１】
レシーバとマイクロフォンとを有するハンドセットユニットと、
スピーカとマイクロフォンとを有するドアホンと、
前記ハンドセットユニットの入出力を、電話回線の入出力又はドアホンの入出力のどちらか一方に接続するスイッチと、を備え、
前記スイッチは、ユーザによって手動で切替可能なスイッチであることを特徴とするドアホンシステム。
【請求項２】
前記ハンドセットユニットの入出力は、音声処理手段を介して前記スイッチと接続されてなることを特徴とする請求項１に記載のドアホンシステム。
【請求項３】
前記ドアホンは、ドアホンボタンを有し、
前記ドアホンボタンが押下されたことを検知すると、前記ユーザに前記ドアホンボタンが押下されたことを知らせるドアホン検知手段を更に備えることを特徴とする請求項１又は２に記載のドアホンシステム。
【請求項４】
前記ドアホン検知手段は、前記ドアホンボタンが押下されたことを検知すると、呼出音を発生する呼出音発生手段を備えることを特徴とする請求項３に記載のドアホンシステム。
【発明の詳細な説明】
【技術分野】
【０００１】
本発明は、電話機能とドアホン機能とを切替可能なドアホンシステムに関する。
【背景技術】
【０００２】
現在、電話機の機能として、ドアホン機能を有するものが出現している。このようなドアホン機能を有する電話機では、電話回線を通して外部と通話中に訪問者があった場合、ユーザは、当該電話回線を保留状態にして、ドアホン越しに訪問者と応答する。例えば特許文献１に記載のドアホンシステムには、電話回線の通信を保留状態にしたまま、ドアホンで訪問者に対し応答するために、電話回線を保留状態にするための保留回路が設けられている。
【０００３】
しかしながら、このような場合、保留回路を設けることによって、ドアホンシステムの回路全体の複雑化を招き、開発負担及びコストの増加を招くこととなる。
【０００４】
【特許文献１】特開平８−２２３３０４号公報
【発明の開示】
【発明が解決しようとする課題】
【０００５】
本発明が解決しようとする課題には、上記のようなものが一例として挙げられる。本発明は、開発負担及びコストの低減を図ることの可能なドアホンシステムを提供することを課題とする。
【課題を解決するための手段】
【０００６】
請求項１に記載の発明は、ドアホンシステムにおいて、レシーバとマイクロフォンとを有するハンドセットユニットと、スピーカとマイクロフォンとを有するドアホンと、前記ハンドセットユニットの入出力を、電話回線の入出力又はドアホンの入出力のどちらか一方に接続するスイッチと、を備え、前記スイッチは、ユーザによって手動で切替可能なスイッチであることを特徴とする。
【発明を実施するための最良の形態】
【０００７】
本発明の１つの観点では、ドアホンシステムは、レシーバとマイクロフォンとを有するハンドセットユニットと、スピーカとマイクロフォンとを有するドアホンと、前記ハンドセットユニットの入出力を、電話回線の入出力又はドアホンの入出力のどちらか一方に接続するスイッチと、を備え、前記スイッチは、ユーザによって手動で切替可能なスイッチである。
【０００８】
上記のドアホンシステムは、ハンドセットユニットと、ドアホンと、スイッチとを備えている。前記ハンドセットユニットは、レシーバとマイクロフォンを有している。また、前記ドアホンも、スピーカとマイクロフォンを有している。前記ドアホンは、例えば、玄関先などに設置される。前記スイッチは、前記ハンドセットユニットの入出力を、電話回線の入出力又はドアホンの入出力のどちらか一方に接続するスイッチであり、ユーザによって手動で切替可能なスイッチである。このようにすることで、操作性を大きく損なうことなく、保留回路を有するドアホンシステムよりも回路を簡略化することができ、開発負担及びコストの低減を図ることができる。
【０００９】
上記のドアホンシステムの一態様では、前記ハンドセットユニットの入出力は、音声処理手段を介して前記スイッチと接続されてなる。音声処理手段は、例えばＤＳＰ（Digital Signal Processor）である。このようにすることで、電話通話をする場合及びドアホン通話をする場合の夫々の場合において、音声処理手段を専有することができ、最適な通話状態を確保することができる。
【００１０】
上記のドアホンシステムの他の一態様では、前記ドアホンは、ドアホンボタンを有し、前記ドアホンボタンが押下されたことを検知すると、ユーザに知らせるドアホン検知手段を更に備える。ドアホン検知手段は、例えばドアホンインターフェース回路である。これにより、ユーザは、訪問者が玄関先に来ていることを知ることができる。
【００１１】
上記のドアホンシステムの好適な実施例では、前記ドアホン検知手段は、前記ドアホンボタンが押下されたことを検知すると、呼出音を発生する呼出音発生手段を備える。呼出音発生手段は、例えば、スピーカである。
【実施例】
【００１２】
［第１実施例］
以下、本発明の好適な実施例を図面に基づいて説明する。図１に、本発明の第１実施例に係るドアホンシステム１００の全体構成を示す。図示のように、ドアホンシステム１００は、室内に設置された電話機１０と、玄関先に設置されたドアホン２１、２２と、ドアホン２１、２２と接続されたドアホンインターフェース回路２４とを備える。電話機１０は、ユーザが実際に会話を行うためのマイクロフォンとレシーバを有するハンドセットユニット２５を備え、玄関先に来た訪問者と会話するためのドアホン通話機能と、通常の電話回線を介して電話通話を行うための電話通話機能の２つの機能を有する。
【００１３】
電話機１０は、ドアホンインターフェース回路２４を介してドアホン２１、２２と接続されている。
【００１４】
また、電話機１０は、電話回線インターフェース回路１１と、スピーカ１２と、電話回線／ドアホン切替ボタン１３と、ＤＳＰ（Digital Signal Processor）１４と、スイッチ１９とを備えている。電話機１０は、電話回線インターフェース回路１１を介して、電話回線２３と接続されている。
【００１５】
ＤＳＰ１４は、入力された受信信号や出力する送話信号の音声処理を行うと共に、電話回線インターフェース回路１１、ドアホンインターフェース回路２４、スイッチ１９の制御を行う。具体的には、ＤＳＰ１４は、制御信号４８を送信することで、電話回線インターフェース回路１１を制御し、制御信号４１を送信することで、ドアホンインターフェース回路２４を制御し、制御信号４７を送信することで、スイッチ１９を制御する。
【００１６】
ＤＳＰ１４は、Ａ／Ｄ入力部１５、１８と、Ｄ／Ａ出力部１６、１７とを有している。Ａ／Ｄ入力部１５、１８及びＤ／Ａ出力部１６、１７は夫々、Ａ／Ｄコンバータ及びＤ／Ａコンバータである。
【００１７】
ＤＳＰ１４は、ハンドセットユニット２５と接続される。具体的には、ＤＳＰ１４のＤ／Ａ出力部１７、Ａ／Ｄ入力部１８が、ハンドセットユニット２５のレシーバ、マイクロフォンと夫々接続される。また、ＤＳＰ１４は、スイッチ１９の一方と接続されている。具体的には、ＤＳＰ１４のＡ／Ｄ入力端子１５、Ｄ／Ａ出力端子１６が、スイッチ１９の切替側端子と接続されている。
【００１８】
スイッチ１９の２組の選択側端子Ｓａ、Ｓｂは、電話回線インターフェース回路１１と、ドアホンインターフェース回路２４にそれぞれ接続されている。
【００１９】
ＤＳＰ１４は、スイッチ１９が切り替えられることにより、電話回線インターフェース回路１１又はドアホンインターフェース回路２４のいずれか一方に接続される。具体的には、Ａ／Ｄ入力部１５、Ｄ／Ａ出力部１６は、スイッチ１９が端子Ｓａ側に接続された場合には、電話回線インターフェース回路１１の出力端子、入力端子と夫々接続され、スイッチ１９が端子Ｓｂ側に接続された場合には、ドアホンインターフェース回路２４の出力端子、入力端子と夫々接続される。
【００２０】
ＤＳＰ１４は、電話回線インターフェース回路１１又はドアホンインターフェース回路２４より入力されてくる受信信号４６や、電話回線インターフェース回路１１又はドアホンインターフェース回路２４に送信する送話信号４５の音声処理を行う。具体的には、ＤＳＰ１４は、電話回線インターフェース回路１１又はドアホンインターフェース回路２４よりＡ／Ｄ入力部１５に入力されてくる受信信号４６の音声処理を行った後、受信信号４６をＤ／Ａ出力部１７よりハンドセットユニット２５内のレシーバに送信する。また、ＤＳＰ１４は、ハンドセットユニット２５内のマイクロフォンよりＡ／Ｄ入力部１８に送信されてくる送話信号４５の音声処理を行った後、送話信号４５をＤ／Ａ出力部１６より電話回線インターフェース回路１１又はドアホンインターフェース回路２４に送信する。
【００２１】
電話回線／ドアホン切替ボタン１３は、押下されると検知信号５０をＤＳＰ１４に送信する。ＤＳＰ１４は、検知信号５０を検知すると、制御信号４７をスイッチ１９に送信することにより、スイッチ１９の切替制御を行う。具体的には、スイッチ１９は、端子Ｓａ側に接続された状態で制御信号４７を受信した場合には、端子Ｓｂ側に接続され、端子Ｓｂ側に接続された状態で制御信号４７を受信した場合には、端子Ｓａ側に接続される。
【００２２】
ユーザは、電話回線／ドアホン切替ボタン１３を押下することにより、電話通話機能及びドアホン通話機能を切替えることができる。つまり、ユーザは、電話回線／ドアホン切替ボタン１３を押下して、手動でスイッチ１９を切替えることにより、電話通話を行う場合には、ハンドセットユニット２５の入出力を電話回線２３の入出力に接続し、ドアホン通話を行う場合には、ハンドセットユニット２５の入出力をドアホン２１、２２の入出力に接続する。このようにすることで、電話通話を行う場合及びドアホン通話を行う場合の夫々の場合において、ＤＳＰ１４を専有することができ、最適な通話状態を確保することができる。
【００２３】
ドアホン２１、２２は夫々、マイクロフォンと、スピーカと、ドアホンボタンとを備える。ドアホン２１、２２の夫々に備えられたマイクロフォンと、スピーカと、ドアホンボタンが、ドアホンインターフェース回路２４と接続される。
【００２４】
ドアホンインターフェース回路２４は、ドアホン２１、２２のドアホンボタンが訪問者によって押下されたことを検知すると、検知信号４２、４３をＤＳＰ１４へ送信する。ＤＳＰ１４は、検知信号４２、４３が入力されると、スピーカ１２に呼出音信号４９を送信し、例えば「ピンポン」といった呼出音をスピーカ１２より発生させる。これにより、ユーザは、訪問者が玄関先に来ていることを認識することができる。
【００２５】
このとき、ユーザは、電話通話中でない場合で、且つ、訪問者と応答しようとするときには、電話回線／ドアホン切替ボタン１３を押下して、スイッチ１９を端子Ｓｂ側に接続した後、ハンドセットユニット２５をオフフック状態にする。これにより、ハンドセットユニット２５を用いて、玄関先に来ている訪問者と会話することができる。
【００２６】
一方、ユーザは、電話通話中の場合で、且つ、訪問者と応答しようとするときには、自身の意思で通話を終了し、一度電話を切る、つまりハンドセットユニット２５をオンフック状態にする。その後、ユーザは、電話回線／ドアホン切替ボタン１３を押下することで、スイッチ１９を端子Ｓｂ側に接続し、再び、ハンドセットユニット２５をオフフック状態にする。これにより、ハンドセットユニット２５を用いて、玄関先に来ている訪問者と会話することができる。なお、ユーザは、ハンドセットユニット２５をオフフック状態にしたまま、電話回線／ドアホン切替ボタン１３を押下することとしてもよい。これによっても、スイッチ１９は端子Ｓｂ側に接続されるので、ユーザは、ハンドセットユニット２５をオフフック状態にしたまま、引き続いて玄関先に来ている訪問者と会話することができる。
【００２７】
ユーザは、訪問者と会話を終えたら、再度、電話回線／ドアホン切替ボタン１３を押下し、スイッチ１９を端子Ｓａ側に接続する。このようにしておかないと、電話機１０が電話回線２３と接続されないこととなり、電話が来てもユーザが認識することができなくなるからである。なお、このとき、電話回線／ドアホン切替ボタン１３を押下しなくても、ユーザが、訪問者と会話を終え、ハンドセットユニット２５をオンフック状態にすると、ＤＳＰ１４からの制御信号４７により、スイッチ１９が、自動的に端子Ｓａ側に接続されるように構成してもよい。
【００２８】
以上に述べたように、第１実施例に係るドアホンシステムは、電話通話機能及びドアホン通話機能を切替えるために、ユーザが手動で切替えを行うスイッチを設けている。このようにすることで、操作性を大きく損なうことなく、保留回路を有するドアホンシステムよりも回路を簡略化することができ、開発負担及びコストの低減を図ることができる。
【００２９】
［第２実施例］
次に本発明の第２実施例について説明する。図２に、本発明の第２実施例に係るドアホンシステム１００ａの全体構成を示す。ドアホンシステム１００ａは、一般的な電話機１２５と、電話回線／ドアホン切替ボックス１１０と、ドアホン１２１、１２２より構成される。
【００３０】
第１実施例に係るドアホンシステム１００は、電話機１０の内部に、電話通話機能とドアホン通話機能を切替える為のスイッチが内蔵されている構成となっているのに対し、第２実施例に係るドアホンシステム１００ａは、一般的な電話機１２５に、電話通話機能とドアホン通話機能との切替える為のスイッチを備える電話回線／ドアホン切替ボックス１１０が外付けされている構成となる。
【００３１】
電話回線／ドアホン切替ボックス１１０は、スピーカ１１２と、電話回線／ドアホン切替ボタン１１３と、スイッチ１１９と、電話回線／ドアホン切替制御回路１２０と、ドアホンインターフェース回路１２４と、電流供給回路１２９とを備える。
【００３２】
電話機１２５は、電話回線／ドアホン切替ボックス１１０と回線１４４を介して接続されている。具体的には、電話機１２５の内部の図示しないＤＳＰが、回線１４４を介して、電話回線／ドアホン切替ボックス１１０のスイッチ１１９と接続されている。
【００３３】
また、電話回線１２３と、ドアホンインターフェース回路１２４が、スイッチ１１９に接続されている。なお、ドアホンインターフェース回路１２４は、電流供給回路１２９を介して、スイッチ１１９に接続されている。この電流供給回路１２９は、ドアホンからの音声信号を一般的な電話機１２５に入力するための音声信号に変換処理を行う機能を有する。
【００３４】
回線１４４は、スイッチ１１９が切り替えられることにより、電話回線１２３又はドアホンインターフェース回路１２４のいずれか一方に接続される。具体的には、スイッチ１１９が端子Ｓａ側に接続された場合には、回線１４４は、電話回線１２３と接続され、スイッチ１１９が端子Ｓｂ側に接続された場合には、回線１４４は、電流供給回路１２９を介して、ドアホンインターフェース１２４と接続される。電話回線１２３又はドアホンインターフェース回路１２４と電話機１２５との間の入出力信号は、この回線１４４を通してやり取りされる。
【００３５】
電話回線／ドアホン切替制御回路１２０は、スイッチ１１９、ドアホンインターフェース回路１２４を制御する機能を有する。具体的には、電話回線／ドアホン切替制御回路１２０は、制御信号１４１を送信することで、ドアホンインターフェース回路１２４を制御し、制御信号１４５を送信することで、スイッチ１１９を制御する。
【００３６】
電話回線／ドアホン切替ボタン１１３は、押下されると検知信号１４７を電話回線／ドアホン切替制御回路１２０に送信する。電話回線／ドアホン切替制御回路１２０は、検知信号１４７を検知すると、制御信号１４５をスイッチ１１９に送信することにより、電話回線１２３とドアホンインターフェース回路１２４の切替制御を行う。具体的には、スイッチ１１９は、端子Ｓａ側に接続された状態で制御信号１４５を受信した場合には、端子Ｓｂ側に接続され、端子Ｓｂ側に接続された状態で制御信号１４５を受信した場合には、端子Ｓａ側に接続される。
【００３７】
ユーザは、第１実施例と同様、電話回線／ドアホン切替ボタン１１３を押下することにより、手動で電話通話機能とドアホン通話機能とを切替えることができる。このようにすることで、電話通話をする場合及びドアホン通話をする場合の夫々の場合において、最適な通話状態を確保することができる。
【００３８】
ドアホンインターフェース回路１２４は、ドアホン１２１、１２２のドアホンボタンが訪問者によって押下されたことを検知すると、検知信号１４２、１４３を電話回線／ドアホン切替制御回路１２０へ送信する。電話回線／ドアホン切替制御回路１２０は、検知信号１４２、１４３が入力されると、スピーカ１１２に呼出音信号１４６を送信し、例えば「ピンポン」といった呼出音をスピーカ１１２より発生させる。これにより、ユーザは、訪問者が玄関先に来ていることを認識することができる。
【００３９】
このとき、ユーザは、電話通話中でない場合で、且つ、訪問者と応答しようとするときは、電話回線／ドアホン切替ボタン１１３を押下することにより、スイッチ１１９を端子Ｓｂ側に接続し、電話機１２５をオフフック状態にする。これにより、電話機１２５のハンドセットユニットを用いて、玄関先に来ている訪問者と会話することができる。
【００４０】
一方、ユーザは、電話通話中で、且つ、訪問者と応答しようとするときには、自身の意思で通話を終了し、一度電話を切る、つまり電話機１２５をオンフック状態にする。その後、ユーザは、電話回線／ドアホン切替ボタン１１３を押下することにより、スイッチ１１９を端子Ｓｂ側に接続する。これにより、電話機１２５のハンドセットユニットを用いて、玄関先に来ている訪問者と会話することができる。なお、ユーザは、電話機１２５をオフフック状態にしたまま、電話回線／ドアホン切替ボタン１１３を押下することとしてもよい。これによっても、スイッチ１１９は端子Ｓｂ側に接続されるので、ユーザは、電話機１２５をオフフック状態にしたまま、引き続いて玄関先に来ている訪問者と会話することができる。
【００４１】
ユーザは、訪問者と会話を終えたら、再度、電話回線／ドアホン切替ボタン１１３を押下し、スイッチ１１９を端子Ｓａ側に接続する。このようにしておかないと、電話機１２５が電話回線１２３と接続されないこととなり、電話が来てもユーザが認識することができなくなるからである。
【００４２】
以上に述べたように、第２実施例のドアホンシステムでは、一般的な電話機に電話回線／ドアホン切替ボックスを外付けすることで、一般的な電話機のＤＳＰをそのまま、電話通話機能とドアホン通話機能で共有することができる。この電話回線／ドアホン切替ボックスには、電話通話機能及びドアホン通話機能を切替えるために、ユーザが手動で切替えを行うスイッチが設けられている。このようにしても、第１実施例と同様、操作性を大きく損なうことなく、保留回路を有するドアホンシステムよりも回路を簡略化することができ、開発負担及びコストの低減を図ることができる。
【００４３】
［第３実施例］
次に本発明の第３実施例に係るドアホンシステム１００ｂについて説明する。ドアホンシステム１００ｂは、コードレス電話に本発明を適用した例である。ドアホンシステム１００ｂは、主に、親機２００と、１つ又は複数の子機３００とを備える。
【００４４】
まず、親機２００について説明する。図３は、親機２００の全体構成を示す。図３が示すように、親機２００は、第１実施形態に係る電話機１０と同様の構成を有する。即ち、親機２００は、ハンドセットユニット２２５と、ドアホンインターフェース回路２２４とを備え、ドアホンインターフェース回路２２４を介してドアホン２２１、２２２と接続されている。また、親機２００は、電話回線インターフェース回路２１１と、スピーカ２１２と、電話回線／ドアホン切替ボタン２１３と、ＤＳＰ２１４と、スイッチ２１９とを備えている。親機２００は、電話回線インターフェース回路２１１を介して、電話回線２２３と接続されている。
【００４５】
さらに親機２００は、無線送受信回路２３０と、アンテナ２３２とを備えている。具体的には、無線送受信回路２３０は、ＤＳＰ２１４と接続されており、アンテナ２３２は、無線送受信回路２３０と接続されている。無線送受信回路２３０は、子機３００との間で無線通話回路を形成する。アンテナ２３２は、子機３００との間で無線の送受信を行うために使用される。
【００４６】
ＤＳＰ２１４は、入力された受信信号や出力する送話信号の音声処理を行うと共に、電話回線インターフェース回路２１１、ドアホンインターフェース回路２２４、スイッチ２１９の制御を行う。具体的には、ＤＳＰ２１４は、制御信号２４８を送信することで、電話回線インターフェース回路２１１を制御し、制御信号２４１を送信することで、ドアホンインターフェース回路２２４を制御し、制御信号２４７を送信することで、スイッチ２１９を制御する。
【００４７】
ＤＳＰ２１４は、Ａ／Ｄ入力部２１５、２１８と、Ｄ／Ａ出力部２１６、２１７とを有している。ＤＳＰ２１４において、Ｄ／Ａ出力部２１７と、Ａ／Ｄ入力部２１８は、ハンドセットユニット２２５と接続されている。具体的には、ハンドセットユニット２２５内のマイクロフォンとＡ／Ｄ入力部２１８とが接続され、ハンドセットユニット２２５内のレシーバとＤ／Ａ出力部２１７とが接続される。Ｄ／Ａ出力部２１６、Ａ／Ｄ入力部２１５は、第１実施例のＤＳＰ１４と同様、スイッチ２１９を介して電話回線インターフェース回路２１１又はドアホンインターフェース回路２２４と接続される。
【００４８】
次に、子機３００の構成について説明する。図４は、子機３００の全体構成を示す。図４において、子機３００は、ＤＳＰ３０１と、スピーカ３０２と、電話回線／ドアホン切替ボタン３０３と、無線送受信回路３０４と、アンテナ３０５と、レシーバ３０６と、マイクロフォン３０７とを備える。
【００４９】
アンテナ３０５は、親機２００との間で無線の送受信を行うために使用される。無線送受信回路３０４は、アンテナ３０５を介して親機２００との間で無線通話回路を形成する。
【００５０】
ＤＳＰ３０１は、Ａ／Ｄ入力部３１２と、Ｄ／Ａ出力部３１１とを有し、無線送受信回路３０４を介して、入力されてくる受信信号や送出する送話信号の音声処理を行うと共に、電話回線／ドアホン切替ボタン３０３からの制御信号３２１を親機２００へ送出する機能を有する。
【００５１】
ＤＳＰ３０１において、Ａ／Ｄ入力部３１２は、マイクロフォン３０７と接続され、Ｄ／Ａ出力部３１１は、レシーバ３０６と接続されている。
【００５２】
図３に示す親機２００において、ＤＳＰ２１４は、電話回線インターフェース回路２１１又はドアホンインターフェース回路２２４よりＡ／Ｄ入力部２１５に入力されてくる受信信号２４６の音声処理を行った後、受信信号２４６を、Ｄ／Ａ出力部２１７よりハンドセットユニット２２５のレシーバに、又は、無線送受信回路２３０、３０４を介して子機３００のレシーバ３０６に送信する。また、ＤＳＰ２１４は、ハンドセットユニット２２５のマイクロフォンよりＡ／Ｄ入力部２１８に送信されてくる送話信号２４５、又は子機３００におけるマイクロフォン３０７より無線送受信回路２３０、３０４を介して送信されてくる送話信号２４５を、音声処理を行った後、送話信号２４５をＤ／Ａ出力部２１６より電話回線インターフェース回路２１１又はドアホンインターフェース回路２２４に送信する。
【００５３】
ＤＳＰ２１４は、スイッチ２１９が切り替えられることにより、電話回線インターフェース回路２１１又はドアホンインターフェース回路２２４のいずれか一方に接続される。具体的には、スイッチ２１９が端子Ｓａ側に接続された場合には、ＤＳＰ２１４のＡ／Ｄ入力部２１５及びＤ／Ａ出力部２１６は、電話回線インターフェース回路２１１の入出力と接続され、スイッチ２１９が端子Ｓｂ側に接続された場合には、ＤＳＰ２１４のＡ／Ｄ入力部２１５及びＤ／Ａ出力部２１６は、ドアホンインターフェース回路２２４の入出力と接続される。
【００５４】
親機２００の電話回線／ドアホン切替ボタン２１３は、押下されると、検知信号２５０をＤＳＰ２１４に送信する。子機３００の電話回線／ドアホン切替ボタン３０３は、押下されると、検知信号３２１をＤＳＰ３０１に送信し、ＤＳＰ３０１は、検知信号３２１を、無線送受信回路２３０、３０４を介して、親機２００のＤＳＰ２１４に送信する。ＤＳＰ２１４は、検知信号２５０又は検知信号３２１を検知すると、制御信号２４７をスイッチ２１９に送信することにより、電話回線２２３とドアホンインターフェース回路２２４の切替制御を行う。具体的には、スイッチ２１９は、端子Ｓａ側に接続された状態で制御信号２４７を受信した場合には、端子Ｓｂ側に接続され、端子Ｓｂ側に接続された状態で制御信号２４７を受信した場合には、端子Ｓａ側に接続される。
【００５５】
ユーザは、第１実施例及び第２実施例と同様、電話回線／ドアホン切替ボタン２１３、３０３を押下することにより、手動で電話通話機能及びドアホン通話機能を切替えることができる。このようにすることで、電話通話をする場合及びドアホン通話をする場合の夫々の場合において、ＤＳＰ２１４を専有することができ、最適な通話状態を確保することができる。
【００５６】
ドアホンインターフェース回路２２４は、ドアホン２２１、２２２のドアホンボタンが訪問者によって押下されたことを検知すると、検知信号２４２、２４３をＤＳＰ２１４へ送信する。ＤＳＰ２１４は、検知信号２４２、２４３が入力されると、呼出音信号２４９をスピーカ２１２に送信することにより、又は、無線送受信回路２３０、３０４を介して、呼出音信号３２０を子機３００のスピーカ３０２に送信することにより、例えば「ピンポン」といった呼出音を、スピーカ２１２、３０２より夫々発生させる。これにより、ユーザは、訪問者が玄関先に来ていることを認識することができる。
【００５７】
なお、このとき、検知信号２４２，２４３を無線送受信回路２３０、３０４を介して子機３００に送信し、ＤＳＰ３０１は、検知信号２４２、２４３が入力されると、スピーカ３０２に呼出音信号３２０を送信し、例えば「ピンポン」といった呼出音をスピーカ３０２より発生させるように構成しても良い。
【００５８】
このとき、ユーザは、電話通話中でない場合で、且つ、訪問者と応答しようとするときは、電話回線／ドアホン切替ボタン２１３、又は、子機３００の電話回線／ドアホン切替ボタン３０３を押下することにより、スイッチ２１９を端子Ｓｂ側に接続する。これにより、ハンドセットユニット２２５又は子機３００を用いて、玄関先に来ている訪問者と会話することができる。
【００５９】
一方、ユーザは、電話通話中の場合で、且つ、訪問者と応答しようとするときは、自身の意思で通話を終了し、一度電話を切る、つまりハンドセットユニット２２５又は子機３００をオンフック状態にする。その後、ユーザは、電話回線／ドアホン切替ボタン２１３又は電話回線／ドアホン切替ボタン３０３を押下することにより、スイッチ２１９を端子Ｓｂ側に接続し、ハンドセットユニット２２５又は子機３００をオフフック状態にする。これにより、ハンドセットユニット又は子機３００を用いて、玄関先に来ている訪問者と会話することができる。なお、ユーザは、ハンドセットユニット２２５又は子機３００をオフフック状態にしたまま、電話回線／ドアホン切替ボタン２１３、３０３を押下することとしてもよい。これによっても、スイッチ２１９は端子Ｓｂ側に接続されるので、ユーザは、ハンドセットユニット２２５又は子機３００をオフフック状態にしたまま、引き続いて玄関先に来ている訪問者と会話することができる。
【００６０】
ユーザは、訪問者と会話を終えたら、再度、電話回線／ドアホン切替ボタン２１３、３０３を押下し、スイッチ２１９を端子Ｓａ側に接続する。このようにしておかないと、ハンドセットユニット２２５又は子機３００が電話回線２２３と接続されないこととなり、電話が来てもユーザが認識することができなくなるからである。なお、このとき、電話回線／ドアホン切替ボタン２１３を押下しなくても、ユーザが、訪問者と会話を終え、ハンドセットユニット２２５又は子機３００をオンフック状態にすると、ＤＳＰ２１４からの制御信号２４７により、スイッチ２１９が、自動的に端子Ｓａ側に接続されるとしてもよい。
【００６１】
第３実施例に係るドアホンシステムでは、本発明を親機と子機より構成されるコードレスホンに適用している。第３実施例においても、第１実施例及び第２実施例に係るドアホンシステムと同様、電話通話機能及びドアホン通話機能を切替えるために、親機及び子機にユーザが手動で切替えを行うスイッチを設けている。このようにしても、操作性を大きく損なうことなく、保留回路を有するドアホンシステムよりも回路を簡略化することができ、開発負担及びコストの低減を図ることができる。
【００６２】
［変形例］
上記の各実施例では、ドアホンは、マイクロフォンとスピーカを備え、ユーザは、ドアホン越しに訪問者と会話することができるとしているが、これに限られるものではない。ドアホンは更にＣＣＤ（Charge Coupled Devices）カメラなどの小型カメラを追加して備えることとし、小型カメラに撮られた訪問者の映像を、スイッチを介して、ハンドセットユニットなどに送信することとしてもよい。このような構成を有するドアホンでは、スイッチがドアホン通話機能に切替えられた場合、ドアホンインターフェース回路は、訪問者の映像を映像信号として、スイッチを介して電話機に送信する。この場合、電話機には、液晶表示パネルなどの表示パネルが備えられている。これにより、電話機の表示パネルは、送信された映像信号を基に、訪問者の映像を映し出すことができる。
【００６３】
また、各実施例に係るドアホンシステムでは、２つのドアホンを有するとしているが、これに限られず、代わりに、１つのドアホン、又は３つ以上のドアホンを有することとしても良いのは言うまでもない。
【００６４】
［切替制御処理］
次に、上記の各実施例における電話回線／ドアホンの切替制御処理について述べる。図５は、各実施例における電話回線／ドアホンの切替制御処理を示すフローチャートである。以下においては、上記の各実施例におけるドアホンシステムの各構成要素について符号を省略して示しているが、下記で用いている各構成要素の名称は、各実施例における同じ名称の各構成要素に対応するとする。
【００６５】
図５のフローチャートにおいて、まず、ドアホンインターフェース回路は、ドアホンボタンが押下されたか否かを検知し（ステップＳ１１）、押下されたことを検知しなかった場合には、処理を終了し（ステップＳ１１：Ｎｏ）、押下されたことを検知した場合には、ＤＳＰ（第３実施例の場合は、親機のＤＳＰ）へ検知信号を送信する（ステップＳ１１：Ｙｅｓ）。
【００６６】
ＤＳＰは、検知信号を受信すると、スピーカより呼出音を出す（ステップＳ１２）。ユーザは、訪問者に応対する場合は、通話を停止し、電話回線／ドアホン切替ボタンを押下する。
【００６７】
ＤＳＰは、電話回線／ドアホン切替ボタンがユーザによって押下されたか否かを検知し（ステップＳ１３）、押下されたことを検知しなかった場合には、処理を終了し（ステップＳ１３：Ｎｏ）、押下されたことを検知した場合には、スイッチに制御信号を送信する（ステップＳ１３：Ｙｅｓ）。制御信号を受信したスイッチは、電話通話機能からドアホン通話機能へ切替える（ステップＳ１４）。これにより、ユーザは、ハンドセットユニットを用いて、訪問者とドアホン越しに会話することができる（ステップＳ１５）。
【００６８】
以上説明したように、本実施例では、ドアホンシステムは、レシーバとマイクロフォンとを有するハンドセットユニットと、スピーカとマイクロフォンとを有するドアホンと、前記ハンドセットユニットの入出力を、電話回線の入出力又はドアホンの入出力のどちらか一方に接続するスイッチと、を備え、前記スイッチは、ユーザによって手動で切替可能なスイッチである。このようにすることで、操作性を大きく損なうことなく、保留回路を有するドアホンシステムよりも回路を簡略化することができ、開発負担及びコストの低減を図ることができる。
【図面の簡単な説明】
【００６９】
【図１】第１実施例に係るドアホンシステムの全体構成を示すブロック図である。
【図２】第２実施例に係るドアホンシステムの全体構成を示すブロック図である。
【図３】第３実施例に係るドアホンシステムの親機を示すブロック図である。
【図４】第３実施例に係るドアホンシステムの子機を示すブロック図である。
【図５】各実施例に係る電話回線／ドアホンの切替制御処理のフローチャートである。
【符号の説明】
【００７０】
１１、２１１・・・電話回線インターフェース回路
１２、１１２、２１２、３０２・・・スピーカ
１３、１１３、２１３、３０３・・・電話回線／ドアホン切替ボタン
１４、１１４、２１４、３０１・・・ＤＳＰ
２４、１２４、２２４・・・ドアホンインターフェース回路
１９、１１９、２１９・・・スイッチ
【図１】
2007110406.tif 000003
【図２】
2007110406.tif 000004
【図３】
2007110406.tif 000005
【図４】
2007110406.tif 000006
【図５】
2007110406.tif 000007